(57)【要約】【課題】本発明は、一枚のブランクから一体に構成され、折り畳まれた状態の箱を拡げた時に中仕切を自動的に形成すると共に、瓶が入っていない状態でも開口状態に保持し、しかも緩衝材として利用できる瓶包装箱を提供することを目的とする。【解決手段】本発明の瓶包装箱は、一枚の厚紙ブランクを打ち抜くことにより形成され、右側から順に、前面板１と、右側板２と、前記前面板１と同等の長方形の後面板３と、左側板４と、重合板５と、仕切板６と、貼着板７とを夫々縦折曲線ａ、ｂ、ｃ、ｄ、ｅ、ｆにより連設された瓶包装箱において、前記仕切板６の下端部には切込線Ｌを介して横折曲線ｇ位置まで延長された長方形状の開口舌片８を設け、前記仕切板６の上端部には円弧状に切欠いた円弧面２６を設けたものである。【選択図】　図１
2004136928.tif 000002
【特許請求の範囲】
【請求項１】
一枚の厚紙ブランクを打ち抜くことにより形成され、右側から順に、瓶の高さの縦幅と瓶直径の２倍の横幅とからなる長方形の前面板１と、瓶の高さの縦幅と瓶の直径の横幅とからなる長方形の右側板２と、前記前面板１と同等の長方形の後面板３と、前記右側板２と同等の長方形の左側板４と、該左側板４の上下端から中央に向かって傾斜して形成された所定縦幅と瓶の直径の横幅の台形状の重合板５と、該重合板５の所定縦幅と同等の縦幅と瓶の直径の横幅の長方形の仕切板６と、該仕切板６と同等の縦幅と細い横幅の長方形の貼着板７とを夫々縦折曲線ａ、ｂ、ｃ、ｄ、ｅ、ｆにより連設された瓶包装箱において、
前記仕切板６の下端部には切込線Ｌを介して横折曲線ｇ位置まで延長された長方形状の開口舌片８を設け、前記仕切板６の上端部には円弧状に切欠いた円弧面２６を設けたことを特徴とする瓶包装箱。
【請求項２】
前記切込線Ｌは、厚紙ブランクを適宜深さに切除することにより形成したことを特徴とする請求項１記載の瓶包装箱。
【発明の詳細な説明】
【０００１】
【発明の属する技術分野】
本発明は、２本の瓶を並列に収納する包装容器に関し、特に一枚のブランクから一体に組立て構成され、内部に仕切壁を有する瓶包装箱に関する。
【０００２】
【従来の技術】
従来、２本の瓶を並列に収納する紙箱において、外部の衝撃による破壊を防止するために、中仕切を入れて瓶同士の衝突を防止することが行われていた。
そのため、別体の中仕切を用意して挿入したり、厚紙ブランクの一部にミシン目により中仕切部材を形成して切り取って挿入したりしていた。
しかし、中仕切を入れ忘れたり、正しい位置に中仕切が挿入できなかったりして、この中仕切の挿入作業が面倒であった。
また、瓶の頭部を固定し得る瓶保持用板と仕切とを厚紙ブランクに一体に連設し、瓶保持用板と仕切とを機械で自動的に組立製造し得る如くなした瓶収納容器は公知となっている。
上記公知技術として実開昭５２−６４６３４号公報があり、図７に示すように、前後板１’，３’、側板２’，４’、底板８’等よりなる箱に於いて、側板４’の側面に所定の巾と高さとを有する重合板５’、仕切板６’及び貼着板７’を夫々連設し、かつ後板の上端に一対の孔ａと小孔ｂとを夫々有する瓶保持用板１４’を所定巾の折曲１５’を介して連設してなる瓶収納容器を構成するものである。
しかし、組立機械で自動的に組立製造し得る如くなした瓶収納容器は、折り畳まれた状態の箱を開口状態に拡げても瓶が入っていないと、直ぐに折り畳まれた状態に戻ってしまうので、瓶の挿入の際に不都合であった。
そこで、折り畳まれた状態の箱を拡げた時に中仕切を自動的に形成すると共に、瓶が入っていない状態でも自動的に開口状態に保持し、しかも緩衝材として利用できることが望まれていた。
【０００３】
【発明が解決しようとする課題】
そこで、本発明は、一枚のブランクから一体に構成され、折り畳まれた状態の箱を拡げた時に中仕切を自動的に形成すると共に、瓶が入っていない状態でも開口状態に保持し、しかも緩衝材として利用できる瓶包装箱を提供することを目的とする。
【０００４】
【課題を解決するための手段】
本発明の瓶包装箱は、一枚の厚紙ブランクを打ち抜くことにより形成され、右側から順に、瓶の高さの縦幅と瓶直径の２倍の横幅とからなる長方形の前面板１と、瓶の高さの縦幅と瓶の直径の横幅とからなる長方形の右側板２と、前記前面板１と同等の長方形の後面板３と、前記右側板２と同等の長方形の左側板４と、該左側板４の上下端から中央に向かって傾斜して形成された所定縦幅と瓶の直径の横幅の台形状の重合板５と、該重合板５の所定縦幅と同等の縦幅と瓶の直径の横幅の長方形の仕切板６と、該仕切板６と同等の縦幅と細い横幅の長方形の貼着板７とを夫々縦折曲線ａ、ｂ、ｃ、ｄ、ｅ、ｆにより連設された瓶包装箱において、
前記仕切板６の下端部には切込線Ｌを介して横折曲線ｇ位置まで延長された長方形状の開口舌片８を設け、前記仕切板６の上端部には円弧状に切欠いた円弧面２６を設けたものである。
また、前記切込線Ｌは、厚紙ブランクを適宜深さに切除することにより形成したものである。
【０００５】
【実施例】
以下、本発明の一実施例を図面に基づいて説明する。
本発明の瓶包装箱は、図１の展開図に示すように、一枚の厚紙ブランクを打ち抜くことにより形成され、右側から順に、瓶の高さの縦幅と瓶直径の２倍の横幅とからなる長方形の前面板１と、瓶の高さの縦幅と瓶の直径の横幅とからなる長方形の右側板２と、前記前面板１と同等の長方形の後面板３と、前記右側板２と同等の長方形の左側板４と、該左側板４の上下端から中央に向かって傾斜して形成された所定縦幅と瓶の直径の横幅の台形状の重合板５と、該重合板５の所定縦幅と同等の縦幅と瓶の直径の横幅の長方形の仕切板６と、該仕切板６と同等の縦幅と細い横幅の長方形の貼着板７とを夫々縦折曲線ａ、ｂ、ｃ、ｄ、ｅ、ｆにより連設する。
なお、図１の展開図は、箱の内側となる裏面を展開して示しており、商品名等の印刷が施された化粧表面は図面上で裏側となる。
【０００６】
前記前面板１の下端部には横折曲線ｇを介して瓶の直径以下の縦幅で中央端部にＶ状の切欠き２７を形成した前底板９を設け、該前底板９の右角部には斜めの傾斜折曲線ｈを介して貼着片１３を設ける。
また、前記前面板１の上端部には横折曲線ｉを介して細い縦幅で重合板２０を設け、さらに該重合板２０に横折曲線ｊを介して瓶の直径の縦幅で瓶保持板１５を設け、該瓶保持板１５には瓶を並べた際に瓶首部が突出する長孔１９を並列に設け、さらに中央端部に半円状の指掛切欠き２２を設ける。
【０００７】
前記右側板２は前記前面板１に縦折曲線ａを介して左側に連設され、前記右側板２の下端部には横折曲線ｇを介して舌片状の右底板１０を設け、前記右側板２の上端部には横折曲線ｉを介して瓶の直径以上の縦幅で右蓋板１６を設け、該右蓋板１６の上端部には横折曲線ｋを介して細い縦幅で折曲片２３を設け、さらに横折曲線ｋの中央部に指掛丸穴２１を設ける。
【０００８】
前記後面板３は前記右側板２に縦折曲線ｂを介して左側に連設され、前記後面板３の下端部には前記前底板９と同様に横折曲線ｇを介して瓶の直径以下の縦幅で中央端部にＶ状の切欠き２７を形成した後底板１１を設け、該後底板１１の右角部には斜めの傾斜折曲線ｈを介して貼着片１４を設ける。
前記後面板３の上端部には横折曲線ｉを介して瓶の直径の縦幅で蓋板１７を設け、該蓋板１７の上端部には横折曲線ｋを介して細い縦幅で折曲片２４を設ける。
【０００９】
前記左側板４は前記後面板３に縦折曲線ｃを介して左側に連設され、前記左側板４の下端部には横折曲線ｇを介して舌片状の左底板１２を設け、前記左側板４の上端部には横折曲線ｉを介して瓶の直径の縦幅で左蓋板１８を設け、該左蓋板１８の上端部には横折曲線ｋを介して細い縦幅で折曲片２５を設ける。
【００１０】
前記重合板５は前記左側板４に縦折曲線ｄを介して左側に連設され、該左側板４の上下端から中央に向かって傾斜して形成された所定縦幅と瓶の直径の横幅の台形状に形成される。
【００１１】
前記仕切板６は前記重合板５に縦折曲線ｅを介して左側に連設され、前記仕切板６の下端部には切込線Ｌを介して横折曲線ｇ位置まで延長された長方形状の開口舌片８を設け、前記仕切板６の上端部には円弧状に切欠いた円弧面２６を設け、さらに前記仕切板６には縦折曲線ｆを介して貼着板７が連設される。
なお、前記切込線Ｌは、厚紙ブランクを適宜深さに切除することにより形成する。
【００１２】
次に、本発明の瓶包装箱の組立て工程について説明する。
図１の展開図に示す状態から、前底板９、右底板１０、後底板１１、左底板１２を横折曲線ｇに沿ってそれぞれ上方に折返し、図２に示すように、折返した前底板９の貼着片１３及び後底板１１の貼着片１４を傾斜折曲線ｈに沿って下方に折り返す。
予め、図１に示す開口舌片８を切込線Ｌに沿って上方に折返し、貼着板７には接着剤を塗布し、前記開口舌片８の折返し状態を保ったままで縦折曲線ｄに沿って重合板５（仕切板６及び貼着板７も一緒に）を右側に折返し、図２に示すように、重合板５を左側板４上へ重ね、仕切板６を後面板３上へ重ね、前記貼着板７を前記後面板４に接着（×印）する。
【００１３】
次に、折返した貼着片１３、１４及び前面板１の右側面に接着剤（点印）を塗布した後、縦折曲線ｂに沿って右側板２（前面板１も一緒に）を左側に折返し、右側板２を後面板３上に重ねて右底板１０と貼着片１４とを接着し、同時に前面板１を重合板５、仕切板６上に重ねて左底板１２と貼着片１３とを接着し、さらに前面板１の接着剤塗布面（点印）を重合板５に重ねて両者を接着する。
このようにして、折り畳んだ状態の扁平な箱が形成され、これらの折返し工程、接着工程は全て組立機械により自動的に行うことができる。
【００１４】
瓶を包装する際には、扁平に折り畳まれた箱の縦折曲線ｂ、ｄを互いに近づく方向に押し込むことにより、図３に示すように、扁平な箱が筒状の箱となり、左底板１２に貼着片１３で接着した前底板９と、右底板１０に貼着片１４で接着した後底板１１とのＸ状の噛み合いにより底部が自動的に閉塞される。
また、図４に示すように、貼着板７が後面板３に接着されているので、仕切板６が縦折曲線ｆに沿って立ち上がり、重合板５が縦折曲線ｅに沿って直角に折り曲げられ、前面板１に重合される。
なお、図２に示す重合板５の表面に接着剤（点印）を塗布しておけば、図４に示す仕切板６を組み立てた時に、重合板５の直角方向の折り曲げが確実となる。そして、図５に示すように、前記開口舌片８は、仕切板６に厚紙ブランクを適宜深さに切除した切込線Ｌにより接続されているので、自重で仕切板６から直角に立ち上がり、仕切板６により形成された左右の開口の一方を塞ぐようになる。したがって、扁平状態から一度拡開された箱は、前述のように開口舌片８により開口状態を保持される。
【００１５】
こうした状態で箱の上方開口から瓶を挿入すると、瓶底部が仕切板６の円弧面２６に案内されて挿入され、瓶に開口舌片８が押されて下方に折り曲げられて支障なく瓶を挿入することができるし、挿入後は開口舌片８が仕切板６と一直線状となり、開口舌片８が隣り合った瓶の緩衝材となる。
２本の瓶を挿入したら、瓶保持板１５を横折曲線ｉ、ｊに沿って開口側へ折返しながら長孔１９を瓶首部に嵌合させて、瓶保持板１５で瓶肩部を覆い、重合板２０を前面板１に重合させる。
さらに、図６に示すように、右蓋板１６及び左蓋板１８を横折曲線ｉに沿って直角に開口側へ折曲げ、さらに折曲片２３、２５を横折曲線ｋに沿って直角に折り曲げて突き合わせ状にして差し込み、瓶口頭部の上方を塞ぐ。
最後に、蓋板１７を横折曲線ｉに沿って直角に折り曲げ、折曲片２４を横折曲線ｋに沿って直角に折り曲げて差し込み、蓋板１７によって箱の開口を塞ぐ。
【００１６】
【効果】
以上述べた如く、本発明の瓶包装箱によれば、折り畳まれた状態の箱を拡げた時に仕切壁が形成されると共に、開口舌片を設けているので瓶が入っていない状態でも開口状態に保持し、しかも瓶挿入後は緩衝材として利用することができる。
【図面の簡単な説明】
【図１】本発明の瓶包装箱の展開図である。
【図２】図１の展開図の要部部材を折り曲げた状態の展開図である。
【図３】本発明の瓶包装箱を組み立てた状態の下部斜視図である。
【図４】図３の要部部材を切り開いた状態の斜視図である。
【図５】図３のＡ−Ａ矢視拡大断面図である。
【図６】本発明の瓶包装箱を組み立てた状態の上部斜視図である。
【図７】従来の瓶包装箱の展開図である。
【符号の説明】
１　前面板
２　右側板
３　後面板
４　左側板
５　重合板
６　仕切板
７　貼着板
８　開口舌片
９　前底板
１０　右底板
１１　後底板
１２　左底板
１３　貼着片
１４　貼着片
１５　瓶保持板
１６　右蓋板
１７　蓋板
１８　左蓋板
１９　長孔
２０　重合板
２１　指掛丸穴
２２　指掛切欠き
２３　折曲片
２４　折曲片
２５　折曲片
２６　円弧面
２７　切欠き
【図１】
2004136928.tif 000003
【図２】
2004136928.tif 000004
【図３】
2004136928.tif 000005
【図４】
2004136928.tif 000006
【図５】
2004136928.tif 000007
【図６】
2004136928.tif 000008
【図７】
2004136928.tif 000009